(57)【要約】【課題】ゲートドライバの動作電源を生成するチャージポンプを不要とすることにより、部品点数の増加を防止する。【解決手段】直流電源部３が出力する受信部２のためのチューニング用直流電源２２を、ゲートオン用直流電源２２１としてゲートドライバ１１にも導く。且つ、チューニング用直流電源２２の電圧を、受信部２とゲートドライバ１１との双方に許容される電圧範囲の電圧としている。【選択図】  図１
2005057379.tif 000002
【特許請求の範囲】
【請求項１】
所定電圧のチューニング用直流電源を生成して出力する直流電源部と、
直流電源部が出力するチューニング用直流電源が導かれ、同調回路を構成する可変容量ダイオードにチューニング用直流電源から生成したチューニング信号を印加することによって、同調回路の同調周波数を受信チャンネルに対応した周波数に設定するとともに、受信により得られた映像信号を出力する受信部と、
受信部から出力される映像信号を表示する表示部とを備え、
表示部は、
アクティブマトリクス駆動される液晶パネルと、
ゲートオン用直流電源を動作電源としてゲートをオンさせるゲートオン信号を生成するとともに、生成したゲートオン信号を用いて液晶パネルのゲート線を駆動するゲートドライバと、
液晶パネルのデータ線を駆動するデータドライバとを備え、
受信部におけるチューニング用直流電源に対する電圧許容範囲とゲートドライバにおけるゲートオン用直流電源に対する電圧許容範囲とは、少なくとも一部において電圧許容範囲が共通する関係となる液晶テレビ受像機であって、
直流電源部が出力するチューニング用直流電源をゲートオン用直流電源としてゲートドライバに導き、
チューニング用直流電源を直流電源部からゲートドライバに導く電源経路、または、チューニング用直流電源を直流電源部から受信部に導く電源経路の少なくとも一方に、ゲートドライバがゲート線を駆動するときに発生するノイズ成分を除去するローパスフィルタを設け、
直流電源部が出力するチューニング用直流電源の電圧を前記共通する電圧許容範囲の電圧としたことを特徴とする液晶テレビ受像機。
【請求項２】
所定電圧のチューニング用直流電源を生成して出力する直流電源部と、
直流電源部が出力するチューニング用直流電源が導かれ、同調回路を構成する可変容量ダイオードにチューニング用直流電源から生成したチューニング信号を印加することによって、同調回路の同調周波数を受信チャンネルに対応した周波数に設定するとともに、受信により得られた映像信号を出力する受信部と、
受信部から出力される映像信号を表示する表示部とを備え、
表示部は、
アクティブマトリクス駆動される液晶パネルと、
ゲートオン用直流電源を動作電源としてゲートをオンさせるゲートオン信号を生成するとともに、生成したゲートオン信号を用いて液晶パネルのゲート線を駆動するゲートドライバと、
液晶パネルのデータ線を駆動するデータドライバとを備え、
受信部におけるチューニング用直流電源に対する電圧許容範囲とゲートドライバにおけるゲートオン用直流電源に対する電圧許容範囲とは、少なくとも一部において電圧許容範囲が共通する関係となる液晶テレビ受像機であって、
直流電源部が出力するチューニング用直流電源をゲートオン用直流電源としてゲートドライバに導き、
直流電源部が出力するチューニング用直流電源の電圧を前記共通する電圧許容範囲の電圧としたことを特徴とする液晶テレビ受像機。
【発明の詳細な説明】
【０００１】
【発明の属する技術分野】
本発明は、可変容量ダイオードを受信用の同調回路の素子として用いる受信部と液晶パネルを表示器とする表示部とを有する液晶テレビ受像機に関するものである。
【０００２】
【従来の技術】
液晶パネルを表示器とするテレビ受像機においては、図３に示すように、受信部２から出力される映像信号を表示するための表示部９１に、液晶パネル１２のゲート線を駆動するゲートドライバ１１と、液晶パネル１２のデータ線を駆動するデータドライバ１４とを設けている。また、直流電源部３が設けられており、受信部２が必要とする３．３Ｖの直流電源２１を生成し、出力する。また、受信部２に設けられたチューナ１６の同調回路１７の可変容量ダイオード１８に印加するチューニング信号の生成に必要な３３Ｖのチューニング用直流電源２２を生成し、出力する。一方、表示部９１の側においては、直流電源部３から出力される３．３Ｖの直流電源２１を動作電源とするＤＣ・ＤＣコンバータ１５を設け、データドライバ１４が必要とする１２Ｖの直流電源２３を生成している。また、１２Ｖの直流電源２３を動作電源とするチャージポンプ９２を設け、ゲートドライバ１１がゲートオン信号を生成するのに必要となる３３Ｖのゲートオン用直流電源９３を生成している。
【０００３】
また、以下に示す従来技術が提案されている（第２の従来技術とする）。すなわち、この技術においては、チューナーユニット２２ａは、種々の液晶表示ユニット２１に取り付けることが可能な構成となっている。また、チューナーユニット２２ａに、液晶表示ユニット２１が必要とする電源を生成する電源部９０を設けている。且つ、『液晶種別信号発生部６４からの液晶種別信号ＭＳをチューナーユニット２２ａの電源部９０に出力して、液晶表示部６０の種別に対応した駆動電源を液晶表示部６０に供給させる』ようになっている（例えば、特許文献１参照）。
【０００４】
【特許文献１】
特開平８−５９８６号公報（第００５６段落、図１〜図３）
【０００５】
【発明が解決しようとする課題】
しかしながら第１の従来技術を用いた場合には、以下に示す問題を生じていた。すなわち、ゲートドライバ１１が必要とするゲートオン用直流電源９３の生成にはチャージポンプ９２を用いているが、このチャージポンプ９２は、複数個のコンデンサと複数個のダイオードとを必要とする回路となっていて、比較的回路規模が大きいものとなっている。その結果、部品点数の増加を招くとともに、部品原価の上昇も招いていた。
【０００６】
また、第２の従来技術は、チューナーユニットが取り付けられることになる液晶表示ユニットの種別に対応した駆動電源をチューナーユニットの側において生成し、液晶表示部に供給する技術となっている。このため、第１の従来技術の問題を解決しようとする観点から見る場合には、第２の従来技術は適用することが困難な技術となっていた。
【０００７】
本発明は上記課題を解決するため創案されたものであって、その目的は、受信部におけるチューニング用直流電源に対する電圧の許容範囲と、ゲートドライバにおけるゲートオン用直流電源に対する電圧の許容範囲とに共通する範囲がある構成において、アナログ的動作を行う受信部に供給するチューニング用直流電源を、デジタル的動作を行うゲートオン用直流電源としてゲートドライバにも供給することにより、ゲートオン用直流電源を生成するチャージポンプを不要とすることによって、部品点数の増加を防止することのでき、且つ、ゲートドライバがゲート線を駆動するときのノイズの回り込みが原因となる受信感度の低下を防止することのできる液晶テレビ受像機を提供することにある。
【０００８】
また本発明の目的は、受信部におけるチューニング用直流電源に対する電圧の許容範囲と、ゲートドライバにおけるゲートオン用直流電源に対する電圧の許容範囲とに共通する範囲がある構成において、アナログ的動作を行う受信部に供給するチューニング用直流電源を、デジタル的動作を行うゲートオン用直流電源としてゲートドライバにも供給することにより、ゲートオン用直流電源を生成するチャージポンプを不要とすることによって、部品点数の増加を防止することのできる液晶テレビ受像機を提供することにある。
【０００９】
【課題を解決するための手段】
上記課題を解決するため本発明に係る液晶テレビ受像機は、所定電圧のチューニング用直流電源を生成して出力する直流電源部と、直流電源部が出力するチューニング用直流電源が導かれ、同調回路を構成する可変容量ダイオードにチューニング用直流電源から生成したチューニング信号を印加することによって、同調回路の同調周波数を受信チャンネルに対応した周波数に設定するとともに、受信により得られた映像信号を出力する受信部と、受信部から出力される映像信号を表示する表示部とを備え、表示部は、アクティブマトリクス駆動される液晶パネルと、ゲートオン用直流電源を動作電源としてゲートをオンさせるゲートオン信号を生成するとともに、生成したゲートオン信号を用いて液晶パネルのゲート線を駆動するゲートドライバと、液晶パネルのデータ線を駆動するデータドライバとを備え、受信部におけるチューニング用直流電源に対する電圧許容範囲とゲートドライバにおけるゲートオン用直流電源に対する電圧許容範囲とは、少なくとも一部において電圧許容範囲が共通する関係となる液晶テレビ受像機に適用している。そして、直流電源部が出力するチューニング用直流電源をゲートオン用直流電源としてゲートドライバに導き、チューニング用直流電源を直流電源部からゲートドライバに導く電源経路、または、チューニング用直流電源を直流電源部から受信部に導く電源経路の少なくとも一方に、ゲートドライバがゲート線を駆動するときに発生するノイズ成分を除去するローパスフィルタを設けている。且つ、直流電源部が出力するチューニング用直流電源の電圧を前記共通する電圧許容範囲の電圧としている。
【００１０】
すなわち、ゲートドライバは、ゲートオン用直流電源の代わりとして供給されるチューニング用直流電源によって動作する。また、ゲートドライバにおいて発生し、チューニング用直流電源の経路を介して受信部の側に回り込もうとするノイズ成分は、ローパスフィルタによって除去されるので、受信部まで伝わらない。
【００１１】
また、本発明に係る液晶テレビ受像機は、所定電圧のチューニング用直流電源を生成して出力する直流電源部と、直流電源部が出力するチューニング用直流電源が導かれ、同調回路を構成する可変容量ダイオードにチューニング用直流電源から生成したチューニング信号を印加することによって、同調回路の同調周波数を受信チャンネルに対応した周波数に設定するとともに、受信により得られた映像信号を出力する受信部と、受信部から出力される映像信号を表示する表示部とを備え、表示部は、アクティブマトリクス駆動される液晶パネルと、ゲートオン用直流電源を動作電源としてゲートをオンさせるゲートオン信号を生成するとともに、生成したゲートオン信号を用いて液晶パネルのゲート線を駆動するゲートドライバと、液晶パネルのデータ線を駆動するデータドライバとを備え、受信部におけるチューニング用直流電源に対する電圧許容範囲とゲートドライバにおけるゲートオン用直流電源に対する電圧許容範囲とは、少なくとも一部において電圧許容範囲が共通する関係となる液晶テレビ受像機に適用している。そして、直流電源部が出力するチューニング用直流電源をゲートオン用直流電源としてゲートドライバに導き、直流電源部が出力するチューニング用直流電源の電圧を前記共通する電圧許容範囲の電圧としている。
【００１２】
すなわち、ゲートドライバは、ゲートオン用直流電源の代わりとして供給されるチューニング用直流電源によって動作する。
【００１３】
【発明の実施の形態】
以下に本発明の実施例の形態を、図面を参照しつつ説明する。
図１は、本発明に係る液晶テレビ受像機の一実施形態の電気的構成を示すブロック線図であり、図３に示す従来技術と構成が同一となるブロックには、図３における符号と同一符号を付与している。
【００１４】
図において、スイッチング電源４は、商用電源３１から１２Ｖの直流電源２４を生成する。そして、生成した１２Ｖの直流電源２４を、直流電源部３とバックライト５とに送出する。直流電源部３は、１２Ｖの直流電源２４から、３．３Ｖの直流電源２１を生成する。また、受信部２のチューナ１６が同調回路１７の同調周波数を目的周波数にするために用いるアナログ用電源（チューニング用直流電源）となる３３Ｖの直流電源２２を生成し、受信部２に送出する。且つ、アナログ用の電源であるチューニング用直流電源２２を、ローパスフィルタ６を介し、デジタル的な動作を行うゲートドライバ１１に、３３Ｖのゲートオン用直流電源２２１として送出する。すなわち、３３Ｖの直流電源２２を、受信部２というアナログ回路のための電源として用いるとともに、受信部２からは独立した表示部１内の回路ブロックであり、デジタル的な動作を行う回路ブロックであるゲートドライバ１１の電源としても、用いるようになっている。
【００１５】
受信部２は、制御部７により指示されたチャンネルの商用放送を受信するとともに、受信して得られた映像信号を表示部１の信号処理部１３に送出する。このため、チューナ１６を備えている。そして、チューナ１６は、同調回路１７を構成する素子である可変容量ダイオード１８に、３３Ｖのチューニング用直流電源２２から生成したチューニング信号を印加することによって、同調回路１７の同調周波数を受信チャンネルに対応した周波数に設定する。なお、受信部２におけるチューニング用直流電源２２に対する電圧許容範囲は、３３Ｖの近傍範囲となっている。
【００１６】
表示部１は、受信部２から送出された映像信号を液晶パネル１２に表示する。このため、ゲートドライバ１１、信号処理部１３、データドライバ（ソースドライバ）１４、ＤＣ・ＤＣコンバータ１５を備えている。信号処理部１３は、３．３Ｖの直流電源２１を動作電源とするブロックとなっている。そして、受信部２から送出される映像信号から、走査のタイミングを示す信号を生成し、ゲートドライバ１１に送出する。また、前記映像信号から、原色のそれぞれについての輝度を示す信号を生成し、データドライバ１４に送出する。ＤＣ・ＤＣコンバータ１５は、３．３Ｖの直流電源２１から１２Ｖ（その他の電圧（例えば９Ｖや１０Ｖ）とすることができる）の直流電源２３を生成し、データドライバ１４に送出する。
【００１７】
ゲートドライバ１１は、ローパスフィルタ６から送出される３３Ｖのゲートオン用直流電源２２１と３．３Ｖの直流電源２１とを動作電源とするブロックとなっている（ゲートオン用直流電源２２１の電流値は、最大でも１０ｍＡであり、通常の電流値は数ｍＡとなっている）。そして、信号処理部１３から送出されるタイミングを示す信号に従い、３３Ｖのゲートオン用直流電源２２１を用いてゲートオン信号を生成する。また、生成したゲートオン信号でもって、液晶パネル１２のゲート線を駆動する。なお、ゲートドライバ１１におけるゲートオン用直流電源２２１に対する電圧の許容範囲は、３３Ｖの近傍範囲となっている。
【００１８】
データドライバ１４は、ＤＣ・ＤＣコンバータ１５から送出される１２Ｖの直流電源２３と３．３Ｖの直流電源２１とを動作電源とするブロックとなっている。そして、信号処理部１３から送出される原色のそれぞれの輝度を示す信号に従って、輝度を示すデータ信号を生成するとともに、生成したデータ信号でもって、液晶パネル１２のデータ線（ソース線）を駆動する。
【００１９】
バックライト５は、光源となる冷陰極管、冷陰極管が発生する光を面状の光とするための導光板等を備えている。また、１２Ｖの直流電源２４から、冷陰極管が必要とする高圧を生成するための昇圧回路１９を備えている。
【００２０】
制御部７は、３．３Ｖの直流電源２１により動作するマイクロコンピュータを主要部として構成されており、テレビ受像機としての主要動作を制御する。このため、受信部２が受信するチャンネルを制御する。また、表示部１における表示の制御を行う。すなわち、液晶パネル１２に表示される映像の輝度、コントラスト、色合い等の制御を行う。
【００２１】
ローパスフィルタ６は、ゲートドライバ１１がゲート線を駆動するときに発生するノイズ成分が、受信部２の側に回り込むことによって、受信部２における受信感度の低下を防止するためのフィルタとなっている。このため、図２に示したように、インダクタＬ６とコンデンサＣ６とを備えている。なお、コンデンサＣ６は、インダクタＬ６のゲートドライバ１１の側の端子と接地レベルとの間に接続されている。
【００２２】
一方、直流電源部３においては、ダイオードＤ１とコンデンサＣ１とからなる整流平滑回路を用いて、二次コイルＬ２の出力を整流平滑することにより、３３Ｖの直流電源２２を生成している。且つ、直流電源２２の出力点の近傍位置と接地レベルとの間には、高周波成分（ゲートドライバ１１がゲート線を駆動するときのノイズ成分）を除去するため、コンデンサＣ２が接続されている。また、ローパスフィルタ６に送出されるチューニング用直流電源の経路２２ａと、受信部２に送出されるチューニング用直流電源の経路２２ｂとは、コンデンサＣ２の端子の位置の近傍において分岐するようにプリント配線パターンが形成されている。
【００２３】
このため、３３Ｖの電源経路を介して、受信部２の側からゲートドライバ１１を見た場合、コンデンサＣ２、インダクタＬ６、コンデンサＣ６からなるπ型フィルタを介して、ゲートドライバ１１が接続された形となっている。このため、ゲートドライバ１１から発生するノイズ成分は、受信部２に対しては有効に除去されるようになっている。
【００２４】
上記構成からなる実施形態の動作を説明する。
受信部２には、許容範囲の電圧であるチューニング用直流電源２２が供給される。このため、チューナ１６は、チューニング用直流電源２２からチューニング信号を生成し、同調回路１７の構成素子である可変容量ダイオード１８に印加する。従って、同調回路１７の同調周波数は、受信チャンネルに対応した周波数に設定される。その結果、受信したチャンネルの映像信号が表示部１に送出される。
【００２５】
一方、表示部１のゲートドライバ１１にも、許容範囲の電圧であるゲートオン用直流電源（チューニング用直流電源）２２１が供給される。このため、ゲートドライバ１１は、ゲートオン用直流電源２２１を用いてゲートオン信号を生成し、液晶パネル１２のゲート線を駆動する。また、データドライバ１４は液晶パネル１２のデータ線を駆動する。その結果、液晶パネル１２には、受信したチャンネルの映像が表示されることになる。
【００２６】
上記した動作が行われているときには、ゲートドライバ１１がゲート線を駆動するために生じたノイズ成分が、ゲートオン用直流電源のための経路２２１に漏れ出す。しかし、３３Ｖの直流電源の経路に関しては、ゲートドライバ１１と受信部２とは、直流電源部３の内部に設けられたコンデンサＣ２とローパスフィルタ６とにより形成されるπ型フィルタによって分離されている。このため、経路２２１に漏れ出したノイズ成分は、高い比率で除去され、受信部２には侵入しない。その結果、受信部２は、感度を低下させることなく、商用放送の受信を行うことができる。
【００２７】
なお本発明は上記実施形態に限定されず、受信部２におけるチューニング用直流電源２２の電圧の許容範囲と、ゲートドライバ１１におけるゲートオン用直流電源２２１の電圧の許容範囲とに、少なくとも一部において共通する許容範囲がある場合には、チューニング用直流電源の電圧とゲートオン用直流電源の電圧とがその他の電圧となる場合にも、同様に適用することができる。
【００２８】
また、ローパスフィルタ６を設ける位置については、直流電源部３からゲートドライバ１１までの経路２２ａの側に設けた場合について説明したが、直流電源部３から受信部２までの経路２２ｂの側に設けた構成とすることができる。
【００２９】
【発明の効果】
以上説明したように、本発明では、直流電源部が出力するチューニング用直流電源を、ゲートオン用直流電源としてゲートドライバに導くとともに、チューニング用直流電源の電圧を、受信部とゲートドライバとの双方に許容される電圧範囲の電圧としている。また、チューニング用直流電源を直流電源部からゲートドライバに導く電源経路、または、チューニング用直流電源を直流電源部から受信部に導く電源経路の少なくとも一方に、ゲートドライバがゲート線を駆動するために生じるノイズ成分を除去するローパスフィルタを設けている。従って、ゲートドライバは、ゲートオン用直流電源の代わりとして供給されたチューニング用直流電源によって動作する。また、ゲートドライバにおいて発生し、チューニング用直流電源の経路を介して受信部の側に侵入しようとするノイズ成分は、ローパスフィルタによって除去され、受信部まで伝わらない。このため、チャージポンプが不要となって、部品点数の増加を防止することができ、且つ、ゲートドライバがゲート線を駆動するときのノイズの回り込みが原因となる受信感度の低下を防止することができる。
【００３０】
また本発明では、直流電源部が出力するチューニング用直流電源を、ゲートオン用直流電源としてゲートドライバに導くとともに、チューニング用直流電源の電圧を、受信部とゲートドライバとの双方に許容される電圧範囲の電圧としている。従って、ゲートドライバは、ゲートオン用直流電源の代わりとして供給されたチューニング用直流電源によって動作する。このため、チャージポンプが不要となって、部品点数の増加を防止することができる。
【図面の簡単な説明】
【図１】本発明に係る液晶テレビ受像機の一実施形態の電気的構成を示すブロック線図である。
【図２】チューニング用直流電源の接続の経路とローパスフィルタの電気的接続を示す回路図である。
【図３】従来技術の電気的構成を示すブロック線図である。
【符号の説明】
１  表示部
２  受信部
３  直流電源部
６  ローパスフィルタ
１１  ゲートドライバ
１２  液晶パネル
１４  データドライバ
１７  同調回路
１８  可変容量ダイオード
２１  ３．３Ｖの直流電源
２２  チューニング用直流電源
２４  １２Ｖの直流電源
３１  商用電源
【図１】
2005057379.tif 000003
【図２】
2005057379.tif 000004
【図３】
2005057379.tif 000005